(57)【要約】【課題】  カードの出し入れがしやすく、コンパクトで軽く、カードが飛び出ないカード入れを提供する。【解決手段】  曲折可能な部材を用いた袋により構成されるポケット１５を設け、その一部を第１の台１６上に固着し、第１の台１６上のポケット１５の開口部付近に係合具８を設ける。又、第１の台１６と第２の台１８とを、関節部１０を介して回転可能に結ぶ。更に、第２の台１８上に、係合具８に整合する位置で係合具８に圧接することにより係合する係止具１１を設ける。【選択図】  図１
2006116277.tif 000002
【特許請求の範囲】
【請求項１】
（イ）第１の台（１６）上に、ポケット（１５）を設ける。
（ロ）該第１の台（１６）上の該ポケット（１５）の開口部付近に係合具（８）を設ける。
（ハ）該第１の台（１６）と第２の台（１８）とを、関節部（１０）を介して回転可能に結ぶ。
（ニ）該第２の台（１８）上に、該係合具（８）に整合する位置で該係合具（８）に圧接することにより係合する係止具（１１）を設ける。
以上の構成によりなるカード入れにおいて、該ポケット（１５）は曲折可能な部材を用いた袋により構成されるとともに、該ポケット（１５）の一部を該第１の台（１６）に固着したことを特徴とするカード入れ。
【請求項２】
該第２の台（１８）上にポケット（１９）を、該ポケット（１９）の開口部付近に該係止具（１１）が来るように設けたことを特徴とする、請求項１のカード入れにおいて、該ポケット（１９）は曲折可能な部材を用いた袋により構成されるとともに、該ポケット（１９）の一部を該第２の台（１８）に固着したことを特徴とするカード入れ。
【発明の詳細な説明】
【技術分野】
【０００１】本発明は、カード、メモや切り抜き等を入れるためのカード入れに関する。
【背景技術】
【０００２】従来のカード入れには、台の上にシートの隅三辺を固着することにより、カードを入れるためのポケットを設けているものがある（例えば、特許文献１参照。）。
以下、図７、８により従来のカード入れについて説明する。
図７は従来のカード入れＡを示し、台１、２のそれぞれにシート３、４の隅三辺を固着することにより（固着部分５）ポケット６、７を設けている。又、ポケット６の開口部付近に係合布８が設けられている。更に、台１、２及びメモ用紙９を、止め輪１０を介して回転可能に結んでいる。又、台２上に、係合布８に整合する位置で係合布８に圧接することにより係合する係止布１１が設けられている。更にポケット６、７にはカード１２が入っている。そして矢印方向に台１と台２を圧接することにより、図８のように係合布８と係止布１１が係合し、そこにカード１２がポケット６、７より飛び出そうとしたときに当るため、カード１２はポケット６、７から飛び出さない。
【特許文献１】特開平１０−１５１０１４号公報（第３頁、図１）
【発明の開示】
【発明が解決しようとする課題】
【０００３】カード入れＡには次のような欠点があった。
比較的硬い台１にシート３の隅三辺を固着することによりポケット６を設けているため、ポケット６にカードを入れるときに、ポケット６の開口部が広がりにくく、結果としてポケット６にカードを入れづらいという欠点があった。又、ポケット７についても同様であった。図９を用いて以上のことを説明すると図９は従来のカード入れＡの側面図の一部を示し、ポケット６にカード１２を入れようとしたときにポケット６の開口部の幅１３を押し広げる力１４が働くが、シート３が伸びない限り開口部の幅１３は広がらないため、結局ポケット６の開口部が広がりにくく、ポケット６にカード１２が入れづらかった。本発明は以上の欠点を解決するためになされたものである。
【課題を解決するための手段】
【０００４】上記課題は以下の構成により解決することができる。すなわち、曲折可能な部材を用いた袋により構成されるポケットを設け、その一部を第１の台上に固着し、第１の台上のポケットの開口部付近に係合具を設ける。又、第１の台と第２の台とを、関節部を介して回転可能に結ぶ。更に、第２の台上に、係合具に整合する位置で係合具に圧接することにより係合する係止具を設ける。又、曲折可能な部材を用いた袋により構成される別のポケットを設け、その一部を、ポケットの開口部付近に係止具が来るように第２の台上に固着するとよい。
【発明の効果】
【０００５】本発明によれば、ポケットにカードを出し入れするときにポケットの開口部を容易に広げることが可能なため、カードを出し入れしやすいカード入れを提供することができる。
【発明の実施するための最良の形態】
【０００６】以下、本発明を実施するための最良の形態について図面と共に説明する。
図１は本発明を実施するための最良の形態であるカード入れＢを示していて、ビニール製の袋により構成されるポケット１５の一部が第１の台紙１６上に固着されている（固着部分１７）。又、ポケット１５の開口部付近に係合布８が設けられている。更に、第１の台紙１６と第２の台紙１８及びメモ用紙９を、止め輪１０を介して回転可能に結んでいる。又、第２の台紙１８上に、係合布８に整合する位置で係合布８に圧接することにより係合する係止布１１が設けられている。更に、ビニール製の袋により構成されるポケット１９の一部が、ポケット１９の開口部付近に係止布１１が来るように第２の台紙１８上に固着されている（固着部分１７）。
発明を実施するための最良の形態の使用方法について、図面を参照して説明すると、図２は、ポケット１５、１９にカード１２を入れた状態を示している。そして矢印方向に第１の台紙１６と第２の台紙１８を圧接することにより、図４のように係合布８と係止布１１が係合し、そこにカード１２がポケット１５、１９より飛び出そうとしたときに当るため、カード１２はポケット１５、１９から飛び出さない。
又、ポケット１５、１９は曲折可能なビニール袋により構成されていて、更にポケット１５、１９の一部のみが第１の台紙１６上および第２の台紙１８上にそれぞれ固着されているため、カード１２をポケット１５、１９に挿入するときに容易にポケット１５、１９の開口部を広げることが可能となり、カードを出し入れしやすいカード入れを提供することができる。図５、６を用いて以上のことを説明すると図５、６は発明を実施するための最良の形態を示す側面図の一部を示しており、図５においてポケット１５にカード１２を入れようとしたときにポケット１５の開口部の幅２０を押し広げる力２１が働くと、ポケット１５は曲折可能な部材を用いた袋により構成されているため図６に示すがごとく曲折し、結果として開口部の幅２０が広がりカードが入れ易い。
又、カード１２が少しでもポケット１５に挿入した後は、カード１２と同じ平面状で比較的硬い第１の台紙１６がカード１２のさらなる挿入時にガイドの役割を果たすため、カード１２のその後の挿入時にも抵抗無く、カード１２の挿入がやり易い。又、ポケット１９についても同様。
更に、第１の台紙１６の係合布８が固着されている側の端面、及び第２の台紙１８の係止布１１が固着されている側の端面の形状や色をそれらの反対側と変えることにより、係合布８と係止布１１が係合した状態において、ポケット１５、１９の開口部がどちら側かを判別し易くすると良い。
又、係合布８と係止布１１の色をメモ用紙９、第１の台紙１６及び第２の台紙１８と変えることにより、係合布８と係止布１１が係合した状態において、ポケット１５、１９の開口部がどちら側かを判別し易くすると良い。
更に、ポケット１５、１９の表面を粗く構成すれば、ポケット１５、１９の表面を指でずらすことにより、ポケット１５、１９の開口部を広げることが可能となるため、カードを出し入れしやすいカード入れを提供することができる。
【図面の簡単な説明】
【０００７】
【図１】発明を実施するための最良の形態を示す図
【図２】図１に示すカード入れの使用状態を示す図
【図３】図２に示すカード入れの別の使用状態を示す図
【図４】図３に示すカード入れの側面図
【図５】発明の効果を示すための図４の一部を示す図
【図６】発明の効果を示すための図５の別な状態を示す図
【図７】従来のカード入れの一例を示す図
【図８】図７に示すカード入れの側面図
【図９】従来のカード入れの問題点を示すための図８の一部を示す図
【符号の説明】
Ｂ  カード入れ
８  係合布
９  メモ用紙
１０  止め輪
１１  係止布
１２  カード
１５、１９  ポケット
１６  第１の台紙
１７  固着部分
１８  第２の台紙
２０  開口部の幅
２１  押し広げる力
【図１】
2006116277.tif 000003
【図２】
2006116277.tif 000004
【図３】
2006116277.tif 000005
【図４】
2006116277.tif 000006
【図５】
2006116277.tif 000007
【図６】
2006116277.tif 000008
【図７】
2006116277.tif 000009
【図８】
2006116277.tif 000010
【図９】
2006116277.tif 000011